(57)【要約】  【課題】  装置内部で生じた熱の放熱と、装置内部への塵埃の侵入の防止とを効率的に行なえる液晶表示装置を提供する。  【解決手段】  前面キャビネット５１の上面に放熱用の開口部５１ｂ，５１ｂ，…が設けられ、前面キャビネット５１の内面側には、開口部５１ｂ，５１ｂ，…に対応する開口部８０ａ，８０ａ，…を有するスライド板８０が設けられている。拡散板３０の伸張によって、駆動レバー８３が枢支柱８５を支点に回動し、この回動によってスライド板８０を右方向にスライドさせる。これにより、開口部５１ｂ，５１ｂ，…と開口部８０ａ，８０ａ，…とが重なって装置内が開状態となる。また、スライド板８０には、引張バネ８６によって常に左側に戻ろうとする力が作用し、拡散板３０が収縮した場合、スライド板８０を左方向にスライドさせる。これにより、開口部５１ｂ，５１ｂ，…と開口部８０ａ，８０ａ，…とが重ならずに装置内が閉状態となる。【選択図】        図５
2007086649.tif 000002
【特許請求の範囲】
【請求項１】
ケースの内部に、液晶パネルと、該液晶パネルの背面に１又は複数の光源を有するバックライトとを備える液晶表示装置において、
前記ケースに１又は複数の放熱用の第１開口部が設けられており、
前記ケースの内部に、
前記第１開口部に対応する第２開口部を有し、前記ケースの内面に沿ってスライドするスライド板と、
該スライド板に連結され、ケース内の温度に基づいて前記スライド板をスライドさせるための駆動手段と
を備え、
前記スライド板がスライドした場合、前記第１開口部と前記第２開口部とが重なって前記ケースの内部が開状態となるようにしてあること
を特徴とする液晶表示装置。
【請求項２】
前記スライド板がスライドしない場合、前記第１開口部と前記第２開口部とが重ならずに前記ケースの内部が閉状態となるようにしてあること
を特徴とする請求項１に記載の液晶表示装置。
【請求項３】
前記駆動手段は、温度に応じて形状が変化する部材からなり、
該部材の形状変化によってスライド板をスライドさせ、前記ケースの開閉状態を決定するようにしてあること
を特徴とする請求項２に記載の液晶表示装置。
【請求項４】
前記駆動手段は、温度に応じて伸縮する部材からなり、
該部材の伸縮によってスライド板をスライドさせ、前記ケースの開閉状態を決定するようにしてあること
を特徴とする請求項２に記載の液晶表示装置。
【請求項５】
ケースの内部に、液晶パネルと、該液晶パネルの背面に１又は複数の光源を有するバックライトと、前記液晶パネル及び前記バックライトの間隙に設けられ、熱によって伸縮する拡散板とを備える液晶表示装置において、
前記ケースに１又は複数の放熱用の第１開口部が設けられており、
前記ケースの内部に、
前記第１開口部に対応する第２開口部を有し、前記ケースの内面に沿ってスライドするスライド板と、
支点を中心に回転し、一端が前記スライド板に接続され、他端が前記拡散板の端部に当接したレバーと
を備え、
前記拡散板が伸張した場合、前記第１開口部と前記第２開口部とが重なって前記ケースの内部が開状態となるようにしてあること
を特徴とする液晶表示装置。
【請求項６】
前記拡散板が収縮した場合、前記第１開口部と前記第２開口部とが重ならずに前記ケースの内部が閉状態となるようにしてあること
を特徴とする請求項５に記載の液晶表示装置。
【請求項７】
その一端が前記ケースに接続されたバネを備え、
該バネの他端が前記レバーの一端に接続され、該バネによって、前記レバーの他端を前記拡散板の端部に当接させるようにしてあること
を特徴とする請求項５又は請求項６に記載の液晶表示装置。
【発明の詳細な説明】
【技術分野】
【０００１】
本発明は、液晶表示装置に関し、より具体的には、ケース内で生じた熱の放熱と、ケース内への塵埃の侵入を防止することができる液晶表示装置に関する。
【背景技術】
【０００２】
液晶表示装置は、小型、薄型、低消費電力を特徴とし、近年ではその表示品位の向上により、従来のＣＲＴに替わるディスプレイとして普及しつつある。液晶表示装置は、自己発光型のデバイスとは異なり、光源としてのバックライトを必要とし、液晶物質の電気光学特性により決定される光透過率を制御して画像を表示する。
【０００３】
近年では、液晶パネルとバックライトとの間隙に光学シートなどが積層された拡散板を設けることにより、表示品位の向上が図られている。しかしながら、冷陰極線放電管（ＣＣＦＬ）のような光源をバックライトとして用いた場合、バックライトからの熱によって装置内部が高温になり、拡散板が熱によって撓み、輝度ムラが発生するという問題があった。また、液晶は温度によって電気光学特性が変化することから、高温での動作が補償されているものではなく、装置内部の温度が変化することは好ましくない。なお、装置内部には、電源回路、液晶駆動回路、及びＣＣＦＬ毎に一対のインバータ回路などの電子回路が搭載されており、各電子回路も熱源となる。
【０００４】
特許文献１には、機器本体のケース部に、放熱用の開口部を複数開設し、ケース部の内部に、一方側にスライドしたときに各開口部と一致して通孔し、他方側にスライドしたときに各開口部よりそれて開口部が封鎖状態となる箇所に複数の開口部が開設されたスライド板を配設した電気機器が開示されている。このような電気機器においては、スライド板をスライドさせ、ケース部に設けた開口部とスライド板に設けた開口部とを一致させた場合、ケース部内の熱を開口部を通じて外部に放熱することができる。また、スライド板をスライドさせ、ケース部内を封鎖状態にさせた場合、塵埃などのケース部内への侵入を防止することができる。
【特許文献１】特開２０００−１９６２６５号公報
【発明の開示】
【発明が解決しようとする課題】
【０００５】
しかしながら、上述した電気機器は、ケース部内の温度に基づいてスライド板がスライドするものではなく、必ずしも装置内部が高温になったときの動作を補償するものではない。したがって、ケース部内が高温でないにもかかわらず、ケース部内が開状態となり、塵埃がケース部内へ侵入する虞がある。逆に、ケース部内が高温であるにもかかわらず、ケース部内が閉状態となり、ケース部内の熱を放熱することができず、ケース部内の電子回路などに悪影響を及ぼす虞がある。
【０００６】
本発明は斯かる事情に鑑みてなされたものであり、ケースに１又は複数の放熱用の第１開口部を設け、ケースの内部に第１開口部に対応する第２開口部を有するスライド板を設け、スライド板をケース内の温度に基づいてスライドさせる構成とすることにより、装置内部で生じた熱の放熱と、装置内部への塵埃の侵入の防止とを効率的に行なえる液晶表示装置の提供を目的とする。
【課題を解決するための手段】
【０００７】
本発明に係る液晶表示装置は、ケースの内部に、液晶パネルと、該液晶パネルの背面に１又は複数の光源を有するバックライトとを備える液晶表示装置において、前記ケースに１又は複数の放熱用の第１開口部が設けられており、前記ケースの内部に、前記第１開口部に対応する第２開口部を有し、前記ケースの内面に沿ってスライドするスライド板と、該スライド板に連結され、ケース内の温度に基づいて前記スライド板をスライドさせるための駆動手段とを備え、前記スライド板がスライドした場合、前記第１開口部と前記第２開口部とが重なって前記ケースの内部が開状態となるようにしてあることを特徴とする。
【０００８】
本発明にあっては、ケースに第１開口部を、前記ケースの内部に第１開口部に対応する第２開口部を有するスライド板を設ける。そして、スライド板をケース内の温度に基づいてスライドさせる。第１開口部と第２開口部とが重なったときはケースの内部が開状態となるので、ケース内の熱を第２開口部及び第１開口部を通じて外部に放熱することができる。ケース内の温度に基づいてスライド板がスライドするので、ケース内が高温になったときなど、必要なときに効率的に放熱を行なうことができる。
【０００９】
本発明に係る液晶表示装置は、前記スライド板がスライドしない場合、前記第１開口部と前記第２開口部とが重ならずに前記ケースの内部が閉状態となるようにしてあることを特徴とする。
【００１０】
本発明にあっては、スライド板がスライドしないとき、第１開口部と第２開口部とが重ならず、ケースの内部が閉状態となるので、塵埃などがケース内へ侵入することを防止することができる。ケース内の温度に基づいてスライド板がスライドするので、ケース内で生じた熱の放熱と、ケース内への塵埃の侵入の防止とを効率的に行なうことができる。
【００１１】
本発明に係る液晶表示装置は、前記駆動手段は、温度に応じて形状が変化する部材からなり、該部材の形状変化によってスライド板をスライドさせ、前記ケースの開閉状態を決定するようにしてあることを特徴とする。
【００１２】
本発明にあっては、温度に応じて形状が変化する部材によって、スライド板をスライドさせる。これにより、形状記憶合金などの部材を用いて、極めて簡単な構成であっても、温度に応じて確実にケースの開閉状態が決定される。
【００１３】
本発明に係る液晶表示装置は、前記駆動手段は、温度に応じて伸縮する部材からなり、該部材の伸縮によってスライド板をスライドさせ、前記ケースの開閉状態を決定するようにしてあることを特徴とする。
【００１４】
本発明にあっては、温度に応じて伸縮する部材によって、スライド板をスライドさせる。これにより、ケース内の温度上昇により、自動的にケースの開閉量が調整され、ケース内の温度の上昇を防止することができる。
【００１５】
本発明に係る液晶表示装置は、ケースの内部に、液晶パネルと、該液晶パネルの背面に１又は複数の光源を有するバックライトと、前記液晶パネル及び前記バックライトの間隙に設けられ、熱によって伸縮する拡散板とを備える液晶表示装置において、前記ケースに１又は複数の放熱用の第１開口部が設けられており、前記ケースの内部に、前記第１開口部に対応する第２開口部を有し、前記ケースの内面に沿ってスライドするスライド板と、支点を中心に回転し、一端が前記スライド板に接続され、他端が前記拡散板の端部に当接したレバーとを備え、前記拡散板が伸張した場合、前記第１開口部と前記第２開口部とが重なって前記ケースの内部が開状態となるようにしてあることを特徴とする。
【００１６】
本発明にあっては、ケースに第１開口部を、前記ケースの内部に第１開口部に対応する第２開口部を有するスライド板を設ける。そして、支点を中心に回転し、一端がスライド板に接続され、他端が拡散板の端部に当接したレバーを用いて、スライド板をケース内の温度に基づいてスライドさせる。レバーの他端が拡散板の端部に当接していることから、拡散板が伸張しているときは、第１開口部と第２開口部とが重なってケースの内部が開状態となる。これにより、従来から設けられている拡散板の熱伸縮性を活用して、ケース内の熱を第２開口部及び第１開口部を通じて外部に放熱することができる。
【００１７】
本発明に係る液晶表示装置は、前記拡散板が収縮した場合、前記第１開口部と前記第２開口部とが重ならずに前記ケースの内部が閉状態となるようにしてあることを特徴とする。
【００１８】
本発明にあっては、拡散板が収縮しているときは、第１開口部と第２開口部とが重ならず、ケースの内部が閉状態となるので、塵埃などがケース内へ侵入することを防止することができる。拡散板がケース内の温度に基づいて伸縮することから、スライド板のスライドはケース内の温度によって決定される。必要なときに、ケース内が開状態になったり、ケース内が閉状態になったりするので、ケース内で生じた熱の放熱と、ケース内への塵埃の侵入の防止とを効率的に行なうことができる。
【００１９】
本発明に係る液晶表示装置は、その一端が前記ケースに接続されたバネを備え、該バネの他端が前記レバーの一端に接続され、該バネによって、前記レバーの他端を前記拡散板の端部に当接させるようにしてあることを特徴とする。
【００２０】
本発明にあっては、バネの一端をケースに接続し、バネの他端をレバーの一端に接続することによって、レバーの他端を拡散板の端部に当接させる。これにより、拡散板が収縮しているときは、バネの復元力によってレバーの一端を引っ張って、ケースの内部を閉状態にすることができる。
【発明の効果】
【００２１】
本発明によれば、ケースに１又は複数の放熱用の第１開口部を設け、ケースの内部に第１開口部に対応する第２開口部を有するスライド板を設け、スライド板をケース内の温度に基づいてスライドさせる構成としたので、スライド板がスライドしたときは、第１開口部と第２開口部とが重なってケースの内部が開状態となり、ケース内の熱を外部に放熱することができる。ケース内の温度に基づいてスライド板がスライドするので、ケース内が高温になったときなど、必要なときに効率的に放熱を行なうことができる。
【００２２】
本発明によれば、スライド板がスライドしないとき、第１開口部と第２開口部とが重ならず、ケースの内部が閉状態となる構成としたので、塵埃などがケース内へ侵入することを防止することができる。ケース内の温度に基づいてスライド板がスライドするので、ケース内で生じた熱の放熱と、ケース内への塵埃の侵入の防止とを効率的に行なうことができる。
【００２３】
本発明によれば、温度に応じて形状が変化する部材によって、スライド板をスライドさせる構成としたので、形状記憶合金などの部材を用いて、極めて簡単な構成であっても、温度に応じて確実にケースの開閉状態を決定し、装置内部で生じた熱の放熱と、装置内部への塵埃の侵入の防止とを確実に行なうことができる。
【００２４】
本発明によれば、温度に応じて伸縮する部材によって、スライド板をスライドさせる構成としたので、ケース内の温度上昇により、自動的にケースの開閉量が調整され、ケース内の温度の上昇を防止することができる。
【００２５】
本発明によれば、ケースに１又は複数の放熱用の第１開口部を設け、ケースの内部に第１開口部に対応する第２開口部を有するスライド板を設け、支点を中心に回転し、一端がスライド板に接続され、他端が拡散板の端部に当接したレバーを用いて、スライド板をケース内の温度に基づいてスライドさせる構成としたので、拡散板が伸張しているときは、第１開口部と第２開口部とが重なってケースの内部が開状態となり、従来から設けられている拡散板の熱伸縮性を活用して、ケース内の熱を外部に放熱することができる。
【００２６】
本発明によれば、拡散板が収縮しているとき、第１開口部と第２開口部とが重ならず、ケースの内部が閉状態となる構成としたので、塵埃などがケース内へ侵入することを防止することができる。拡散板がケース内の温度に基づいて伸縮することから、スライド板のスライドはケース内の温度によって決定され、必要なときに、ケース内が開状態になったり、ケース内が閉状態になったりするので、ケース内で生じた熱の放熱と、ケース内への塵埃の侵入の防止とを効率的に行なうことができる。
【００２７】
本発明によれば、バネの一端をケースに接続し、バネの他端をレバーの一端に接続することによって、レバーの他端を拡散板の端部に当接させる構成としたので、拡散板が収縮しているときは、バネの復元力によってレバーの一端を引っ張って、ケースの内部を確実に閉状態にすることができる等、優れた効果を奏する。
【発明を実施するための最良の形態】
【００２８】
以下、本発明をその実施の形態を示す図面に基づいて詳述する。
【００２９】
（実施の形態１）
図１は本発明に係る液晶表示装置の外観を示す正面図、図２は同平面図である。
本発明に係る液晶表示装置は、液晶パネル１０と、液晶パネル１０の背面側に設けられたバックライト２０（図３参照）とを備え、液晶パネル１０及びバックライト２０が前面キャビネット５１及び背面キャビネット５２によって形成された空間内に配置されている。前面キャビネット５１は肉厚が数ｍｍの成型品であって、前面キャビネット５１の側壁が適宜の長さを有し、前面キャビネット５１の上側の側壁に、前後方向に長い複数のスリット状の放熱用の開口部５１ｂ，５１ｂ，…が横方向に並置されている。また、前面キャビネット５１には、正面側に表示用の開口部５１ａが設けてあって、利用者は、開口部５１ａを通じて液晶パネル１０の画像を見る。
【００３０】
液晶パネル１０及びバックライト２０は、液晶パネル１０の外寸と適合する寸法を有する図示しない支持枠に固定されている。支持枠には、支持枠の上下に対向する２辺間を連結するように、上下方向に伸びる２本の支柱が固定され、支柱にスタンド６０が取り付けられている。
【００３１】
図３は本発明の実施の形態１に係る液晶表示装置の左側断面図、図４は図３のIV部の拡大図、図５は本発明の実施の形態１に係る液晶表示装置の拡大正面透視図であり、図５では、本発明の特徴を分かり易くするために構成要素の一部を省略している。
液晶パネル１０は、一対の透明板１１，１２が対向配置され、透明板１１，１２の周辺部をシール材１３などで封止することによって生じた間隙に液晶物質１４が充填された構成を有する。もちろん、球状又は柱状のスペーサを用いて液晶ギャップを精度良く保持することが好ましい。一方の透明板１１にはマトリックス状に配置されたＩＴＯ、ＮＥＳＡなどの透明性の画素電極と、画素電極への電荷の供給を制御するためのＴＦＴとが形成されており、他方の透明板１２にはコモン電極と呼ばれる透明性の共通電極が形成されている。ＴＦＴのゲート及びソースは、それぞれゲートドライバ及びソースドライバの各出力段に接続されている。
【００３２】
相互の偏光軸方向が直交した２枚の偏光板１５，１６が、透明板１１，１２の表面にそれぞれ貼付けられており、ゲートドライバから入力されたゲート信号によって各画素電極のオン／オフが制御され、ソースドライバから入力されたデータ信号をオン期間に各画素電極へ印加することによって、画素電極に印加された電圧と対向電極に印加された電圧との電圧差に基づいて、液晶物質１４の光透過率を制御する。
【００３３】
上述したような液晶パネル１０は、液晶パネル１０の前面及び背面の周縁部を２つの挟持部材７１，７２で挟持し、一方の挟持部材７２をビス５７によってバックライト２０に固定する。これにより、液晶パネル１０とバックライト２０との相対位置が変動することはない。
【００３４】
バックライト２０は、前面が開口された直方体状の箱体（バックライトシャーシ）２１を基体とし、バックライトシャーシ２１の内壁に反射膜２２が形成されている。反射膜２２は、例えば、アルミニウムなどの光反射性に優れた材料を蒸着することにより形成される。
【００３５】
また、光源としての複数の線状のＣＣＦＬ４０が横置き状態で縦方向に並置され、自然光に近い白色光が前面に設けられた液晶パネル１０に入射されるようになっている。本例では、ＣＣＦＬ４０が、適宜の位置に設けられたそれ自体公知のクリップ４１によってバックライトシャーシ２１の底面に固定される。なお、白色ＬＥＤ及び／又は複数色のＬＥＤを配置したものをバックライトとして用いてもよい。
【００３６】
バックライトシャーシ２１の周縁部には、拡散板３０の位置を固定するための枠体として機能する固定具２５がビス２８によってバックライトシャーシ２１に取り付けられている。なお、拡散板３０の左右の一辺側（ここでは右辺側）は、固定具２５及びバックライトシャーシ２１によって挟持され、その部分が動かないように固定されているが、拡散板３０の左辺側、上辺側及び下辺側は、固定具２５及びバックライトシャーシ２１によって形成されるコの字状の空間２７を自由に移動できるようになっている。
【００３７】
拡散板３０は、アスペクト比が４：３（又は１６：９）であって、表面に、拡散シート、Ｒ−ＢＡＦ及びＤ−ＢＡＦなどの光学シートが積層された積層体であって、温度に応じて伸縮する。つまり、拡散板３０は、ＣＣＦＬ４０の点灯によって生じる熱によって熱膨張する。拡散板３０の右辺側は固定されているが、左辺側、上辺側及び下辺側はコの字状の空間２７を自由に移動できるようになっているので、左辺側、上辺側及び下辺側の拡散板周縁部の位置が温度に応じて変化する。本例は、拡散板３０の熱膨張による拡散板の周縁部の位置変化を利用して後述するスライド板８０を駆動させる。
【００３８】
本例では、図２に示すように、前面キャビネット５１の上面に、前後方向に長い複数のスリット状の放熱用の開口部５１ｂ，５１ｂ，…が横方向に並置されている。また、前面キャビネット５１の内面側には、前面キャビネット５１の内面を開口部５１ｂ，５１ｂ，…の並置方向（横方向）に沿ってスライドするスライド板８０が設けられている。スライド板８０の下側からは、スライド板８０のスライド方向を規制するとともに、スライド板８０の脱落を防止する枠状部材８２が前面キャビネット５１に配設されている。なお、スライド板８０の長さは、スライド板８０が前面キャビネット５１の内面をスライドできればよく、前面キャビネット５１の内面の横方向の長さより短ければよい。
【００３９】
スライド板８０には、前面キャビネット５１側の開口部５１ｂ，５１ｂ，…と略同形、同ピッチのスリット状の開口部８０ａ，８０ａ，…がスライド板８０の長手方向に沿って設けられている。また、スライド板８０の長手方向の一端（左端）には、貫通孔が設けられた連結部材８１が配設され、この貫通孔と、駆動レバー８３の上側端部に設けられた貫通孔とを重ね、柱状のリベット８４を両貫通孔に緩挿することによって、連結部材８１と駆動レバー８３とが接続されている。
【００４０】
また、背面キャビネット５２には支持板５４が固定されており、バックライトシャーシ２１がビス５５によって支持板５４に固定されている。支持板５４の適宜の位置には、円柱状の枢支柱８５が設けられ、枢支柱８５は駆動レバー８３に設けられた貫通孔に緩挿されている。さらに、引張バネ８６の一端（左端）を前面キャビネット５１の左側の内面に接続し、引張バネ８６の他端（右端）を連結部材８１に接続することで、駆動レバー８３の下側端部を、左側から拡散板３０の左辺側の端部に付勢させる。
【００４１】
上述した構成とすることによって、拡散板３０の伸張によって、駆動レバー８３が枢支柱８５を支点に回動し、この回動によってスライド板８０を右方向にスライドさせる。また、スライド板８０には、引張バネ８６によって常に左側に戻ろうとする力が作用し、拡散板３０が収縮した場合、スライド板８０を左方向にスライドさせる。
【００４２】
拡散板３０の伸縮は、装置内の温度によって決まるので、常温時（２５℃）、すなわち、スライド板８０が右側にスライドしないときは、開口部８０ａ，８０ａ，…が開口部５１ｂ，５１ｂ，…と重ならずに前面キャビネット５１の内部が閉状態となり、一方、常温より高温度の時、すなわち、スライド板８０が右側にスライドしたときは、開口部８０ａ，８０ａ，…が開口部５１ｂ，５１ｂ，…と重なって前面キャビネット５１の内部が開状態となるように、拡散板３０の伸縮量を考慮して枢支柱８５の位置及び駆動レバー８３の貫通孔の位置を決定する。
【００４３】
枢支柱８５の位置を調整することで、拡散板３０の伸縮量を越えるスライド板８０のスライド量を得ることができ、あらゆるサイズの液晶表示装置にも適用することができる。また、開口部５１ｂ及び開口部８０ａのサイズについても制約が生じるものではない。
【００４４】
図６は本発明の実施の形態１に係る液晶表示装置における拡散板の伸張時の状態を示す図である。つまり、図５はバックライトの使用前、すなわちＣＣＦＬ４０点灯前の状態などの装置内温度が低い状態を、図６はバックライトの使用中、すなわちＣＣＦＬ４０点灯中の状態などの装置内温度が高い状態を、それぞれ示している。
【００４５】
液晶表示装置の使用前などは、図５に示すように、装置内の温度が低いので拡散板３０が収縮し、前面キャビネット５１に設けた開口部５１ｂ，５１ｂ，…と、スライド板８０に設けられた開口部８０ａ，８０ａ，…とが重ならずに装置内が閉状態となる。本例では、引張バネ８６の復元力によって駆動レバー８３の一端を引っ張って、装置内を閉状態にするようになっている。これにより、塵埃などが装置内へ侵入することを防止することができる。
【００４６】
一方、液晶表示装置の使用中などは、図６に示すように、装置内の温度が高いので拡散板３０が伸張する。拡散板３０が伸張した場合、駆動レバー８３の拡散板３０との当接部分に力が作用する。作用した力は、枢支柱８５を支点とした駆動レバー８３の回転運動を生じさせる。駆動レバー８３の回転運動はスライド板８０の進退運動に変えられ、スライド板８０が右方向にスライドし、開口部５１ｂ，５１ｂ，…と開口部８０ａ，８０ａ，…とが重なって装置内が開状態となる。これにより、装置内の熱を開口部８０ａ，５１ｂを通じて外部に放熱することができる。
【００４７】
このように、拡散板３０が装置内の温度に基づいて伸縮することから、スライド板８０のスライドは装置内の温度によって決定される。必要なときに、装置内が開状態になったり、閉状態になったりするので、装置内で生じた熱の放熱と、装置内への塵埃の侵入の防止とを効率的に行なうことができる。
【００４８】
（実施の形態２）
実施の形態１では、拡散板３０の熱膨張を利用してスライド板８０を駆動させるようにしたが、温度に応じて形状が変化する部材を利用してスライド板を駆動させるようにしてもよく、形状記憶合金を利用した例を実施の形態２として説明する。
図７は本発明の実施の形態２に係る液晶表示装置の左側断面図、図８は図７のVIII部の拡大図、図９は本発明の実施の形態２に係る液晶表示装置の拡大正面透視図であり、図９では、本発明の特徴を分かり易くするために構成要素の一部を省略している。
【００４９】
本例では、スライド板８０の長手方向の一端（左端）には、貫通孔が設けられた連結部材８１が配設され、貫通孔には柱状のリベット８７が嵌挿されている。また、背面キャビネット５２には支持板５４が固定されており、バックライトシャーシ２１が支持板５４にビス５５によって支持板４５に固定されている。
【００５０】
支持板５４の適宜の位置には、円柱状の支柱８９が設けられ、リベット８７及び支柱８９は、温度に応じて形状が変化する形状記憶合金８８によって接続されている。具体的には、形状記憶合金８８の一端がリベット８７に、形状記憶合金８８の他端が支柱８９に接続されている。
【００５１】
形状記憶合金８８は、後述するように、基準温度より低い場合は、開口部８０ａ，８０ａ，…が開口部５１ｂ，５１ｂ，…に重なるようにスライド板８０のスライド量を決定する第１形状になり、基準温度より高い場合は、開口部８０ａ，８０ａ，…が開口部５１ｂ，５１ｂ，…に重ならないようにスライド板８０のスライド量を決定する第２形状になるように設計されている。その他の構成は実施の形態１と同様であるので、対応する部分には同一の符号を付してその詳細な説明を省略する。
【００５２】
図１０は本発明の実施の形態２に係る液晶表示装置における形状記憶合金の第２形状時の状態を示す図である。つまり、図９はバックライトの使用前、すなわちＣＣＦＬ４０点灯前の状態などの装置内温度が低い状態を、図１０はバックライトの使用中、すなわちＣＣＦＬ４０点灯中の状態などの装置内温度が高い状態を、それぞれ示している。
【００５３】
液晶表示装置の使用前などは、図９に示すように、装置内の温度が低いので、形状記憶合金８８が、前面キャビネット５１に設けた開口部５１ｂ，５１ｂ，…と、スライド板８０に設けられた開口部８０ａ，８０ａ，…とが重なるような第１形状になって、装置内が閉状態となる。これにより、塵埃などが装置内へ侵入することを防止することができる。
【００５４】
一方、液晶表示装置の使用中などは、図１０に示すように、装置内の温度が高いので、形状記憶合金８８が、前面キャビネット５１に設けた開口部５１ｂ，５１ｂ，…と、スライド板８０に設けられた開口部８０ａ，８０ａ，…とが重ならないような第２形状になって、スライド板８０が右方向にスライドし、装置内が開状態となる。これにより、装置内の熱を開口部８０ａ，５１ｂを通じて外部に放熱することができる。
【００５５】
このように、形状記憶合金８８の形状が装置内の温度に基づいて変化することから、スライド板８０のスライドは装置内の温度によって決定される。必要なときに、装置内が開状態になったり、閉状態になったりするので、装置内で生じた熱の放熱と、装置内への塵埃の侵入の防止とを効率的に行なうことができる。
【００５６】
以上詳述したように、本発明の主旨は、装置内の温度に応じて、スライド板８０のスライドを決定し、必要なときに装置内を開状態にしたり、閉状態にしたりして、ケース内の電子回路などへの悪影響を防止し、表示品位に優れた液晶表示装置を実現することにある。
【００５７】
なお、実施の形態では、光源としての複数のＣＣＦＬ４０が並置された直下型のバックライト２０について説明したが、サイド型のバックライトなど、バックライト方式について限定されるものではない。また、拡散板３０の熱膨張を利用、また、形状記憶合金８８の形状変化を利用してスライド板８０を駆動させる形態について説明したが、装置内の温度に基づいてスライド板８０を駆動させるものであれば、これら形態に限定されるものではない。
【図面の簡単な説明】
【００５８】
【図１】本発明に係る液晶表示装置の外観を示す正面図である。
【図２】本発明に係る液晶表示装置の外観を示す平面図である。
【図３】本発明の実施の形態１に係る液晶表示装置の左側断面図である。
【図４】図３のIV部の拡大図である。
【図５】本発明の実施の形態１に係る液晶表示装置の拡大正面透視図である。
【図６】本発明の実施の形態１に係る液晶表示装置における拡散板の伸張時の状態を示す図である。
【図７】本発明の実施の形態２に係る液晶表示装置の左側断面図である。
【図８】図７のVIII部の拡大図である。
【図９】本発明の実施の形態２に係る液晶表示装置の拡大正面透視図である。
【図１０】本発明の実施の形態２に係る液晶表示装置における形状記憶合金の第２形状時の状態を示す図である。
【符号の説明】
【００５９】
１０  液晶パネル
２０  バックライト
２１  バックライトシャーシ
２５  取付部
３０  拡散板
４０  ＣＣＦＬ
５１  前面キャビネット
５１ｂ  開口部
５２  背面キャビネット
８０  スライド板
８０ａ  開口部
８３  駆動レバー
８６  引張バネ
８８  形状記憶合金
【図１】
2007086649.tif 000003
【図２】
2007086649.tif 000004
【図３】
2007086649.tif 000005
【図４】
2007086649.tif 000006
【図５】
2007086649.tif 000007
【図６】
2007086649.tif 000008
【図７】
2007086649.tif 000009
【図８】
2007086649.tif 000010
【図９】
2007086649.tif 000011
【図１０】
2007086649.tif 000012